(57)【要約】【課題】油脂及び油脂を含有する食品の酸化上昇を抑制する油脂組成物の提供。【解決手段】油脂組成物中に２種以上の油脂を含有し、油脂組成物中の高オレイン酸大豆油の含有量が１０〜９５質量％であり、該高オレイン酸大豆油がグリセリドを構成する脂肪酸中のオレイン酸含有率が７５〜９５質量％である、油脂組成物。油脂組成物のヨウ素価が６５〜１１０であり、油脂組成物中の高オレイン酸大豆油の含有量が１０〜９０質量％であることが好ましい。【選択図】図１
2019052281.tif 000002
【特許請求の範囲】
【請求項１】
油脂組成物中に２種以上の油脂を含有し、
油脂組成物中の高オレイン酸大豆油の含有量が１０〜９５質量％であり、
該高オレイン酸大豆油がグリセリドを構成する脂肪酸中のオレイン酸含有率が７５〜９５質量％である、油脂組成物。
【請求項２】
油脂組成物のヨウ素価が６５〜１１０である、請求項１に記載の油脂組成物。
【請求項３】
油脂組成物中の高オレイン酸大豆油のヨウ素価が１００以下である、請求項１又は２に記載の油脂組成物。
【請求項４】
油脂組成物中の高オレイン酸大豆油に含有されるδ-トコフェロール量は、高オレイン酸大豆油に含有される全トコフェロール量の２０〜４０質量％である、請求項１〜３のいずれか１項に記載の油脂組成物。
【請求項５】
前記２種以上の油脂が、高オレイン酸大豆油以外に、パーム油、パーム油の分別油、菜種油、大豆油、米油、ひまわり油、コーン油、紅花油、オリーブ油から選ばれる１種以上を含有する、請求項１〜４のいずれか１項に記載の油脂組成物。
【請求項６】
油脂組成物が、２０℃で液状である、請求項１〜５のいずれか１項に記載の油脂組成物。
【発明の詳細な説明】
【技術分野】
【０００１】
本発明は、油脂組成物に関する。
【背景技術】
【０００２】
油脂は、保存の過程で酸化を受けて過酸化物が生成し、過酸化物が多くなると毒性を有することもあり、食用として適さなくなる。そのため、「食品、添加物等の規格基準（昭和３４年厚生省告示第３７０号）」には、即席めん類は、めんに含まれる油脂の過酸化物価が３０を超えるものであってはならない、とある。また、「弁当及びそうざいの衛生規範（昭和５４年６月２９日環食第１６１号）」では、油脂は過酸化物価１０以下に適合するものを原材料として使用するとされている。
【０００３】
油脂の酸化安定性の指標として、ＡＯＭ試験が用いられており、この数値が長いほど酸化安定性が良好となる。この数値は油脂、あるいは油脂を含有する食品の保存性とより相関を示すことが知られている（非特許文献１、ｐ８５）。また、ＣＤＭ試験はＡＯＭ試験と相関関係があり、操作が簡便なため、ＡＯＭ試験に代わって用いられている。
【０００４】
油脂は不飽和結合が多いものほど、酸化を受けやすい。油脂の不飽和結合は、油脂の指標であるヨウ素価に反映されるため、ヨウ素価の高い油脂は酸化を受けやすい。また、油脂の酸化を防止する成分として、植物油中にトコフェロールが含有されていることが知られており（非特許文献１、ｐ５７）、特許文献１には、γ−トコフェロールが３００ｐｐｍ以上のフライ安定性の良い油脂が開示されている。
【先行技術文献】
【非特許文献】
【０００５】
【非特許文献１】「油脂の特性と応用」２０１２年１月３０日発行（株式会社幸書房）
【特許文献】
【０００６】
【特許文献１】特許第４３９２７７０号公報
【発明の概要】
【発明が解決しようとする課題】
【０００７】
しかし、過酸化物はフライのように１６０〜１８０℃で加熱されることで分解するので、前述の即席めん、そうざい等においては、フライ後の食品中の油脂の過酸化物価を抑える必要がある。フライ中の酸化抑制が必ずしも保存時の過酸化物の生成抑制につながるわけではない。
【０００８】
そこで、本発明は、油脂及び油脂を含有する食品の酸化上昇を抑制する油脂組成物、特に保存時の酸化上昇を抑制する油脂組成物を提供することを目的とする。
【課題を解決するための手段】
【０００９】
本発明の油脂組成物は、油脂組成物中に２種以上の油脂を含有し、油脂組成物中の高オレイン酸大豆油の含有量が１０〜９５質量％であり、該高オレイン酸大豆油がグリセリドを構成する脂肪酸中のオレイン酸含有率が７５〜９５質量％である、油脂組成物である。
【００１０】
本発明の油脂組成物は、油脂組成物のヨウ素価が６５〜１１０である、ことが好ましい。
【００１１】
本発明の油脂組成物は、油脂組成物中の高オレイン酸大豆油のヨウ素価が１００以下である、ことが好ましい。
【００１２】
本発明の油脂組成物は、高オレイン酸大豆油に含有されるδ-トコフェロール量は、高オレイン酸大豆油に含有される全トコフェロール量の２０〜４０質量％である、ことが好ましい。
【００１３】
本発明の油脂組成物は、前記２種以上の油脂が、高オレイン酸大豆油以外に、パーム油、パーム油の分別油、菜種油、大豆油、米油、ひまわり油、コーン油、紅花油、オリーブ油から選ばれる１種以上を含有する、ことが好ましい。
【００１４】
本発明の油脂組成物は、油脂組成物が、２０℃で液状である、ことが好ましい。
【発明の効果】
【００１５】
本発明によれば、油脂及び油脂を含有する食品の酸化上昇を抑制する油脂組成物、特に保存時の酸化上昇を抑制する油脂組成物を提供することができる。
【図面の簡単な説明】
【００１６】
【図１】大豆油及び高オレイン酸大豆油（ＨＯ大豆油）の各混合油のヨウ素価（ＩＶ）と酸化安定性（ＣＤＭ）の関係を示すグラフである。
【図２】大豆油及び高オレイン酸大豆油（ＨＯ大豆油）の各混合油の総トコフェロール含有量と酸化安定性（ＣＤＭ）の関係を示すグラフである。
【発明を実施するための形態】
【００１７】
本発明者らは、油脂組成物中に２種以上の油脂を含有し、油脂組成物中の高オレイン酸大豆油の含有量が１０〜９５質量％であり、該高オレイン酸大豆油がグリセリドを構成する脂肪酸中のオレイン酸含有率が７５〜９５質量％である油脂組成物とすることで、油脂の酸化上昇を抑制することを見出した。この知見に基づき、本願発明の油脂組成物を完成するに至った。
【００１８】
以下、本発明の油脂組成物について、詳説する。なお、本発明の実施の形態において、Ａ（数値）〜Ｂ（数値）は、Ａ以上Ｂ以下を意味する。
【００１９】
＜油脂組成物＞
（油脂）
本発明の油脂組成物は、油脂組成物中に２種以上の油脂を含有し、１種はグリセリドを構成する脂肪酸中のオレイン酸含有率が７５〜９５質量％である高オレイン酸大豆油であり、同範囲の油脂を用いることで、酸化安定性を高めることができる。酸化安定性の点から、該オレイン酸含有率は高いほうが好ましいが、高オレイン酸大豆油は、気候により、前記オレイン酸含有率の範囲で変動する。高オレイン酸大豆油は、グリセリドを構成する脂肪酸中のオレイン酸含有率が７８〜９０質量％であることが好ましく、８１〜８９質量％であることがより好ましい。なお、グリセリドは、モノグリセリド、ジグリセリド、トリグリセリドからなり、通常は、トリグリセリドが９５質量％以上を占める。より好ましくは、トリグリセリドが９８質量％以上である。高オレイン酸大豆油のグリセリドを構成する脂肪酸中のオレイン酸以外の脂肪酸の含有率は、パルミチン酸とステアリン酸からなる飽和脂肪酸が５〜１５質量％であることが好ましく、リノール酸が２〜１０質量％であることが好ましく、リノレン酸が０〜５質量％であることが好ましい。また、高オレイン酸大豆油のヨウ素価は、１００以下であることが酸化安定性を高めるために好ましく、８０〜９０であることがより好ましく、８２〜８８であることがさらに好ましい。
【００２０】
高オレイン酸大豆油は、通常の搾油、精製工程を経て得られる精製油を用いることが好ましい。精製油は、特に限定するものではないが、高オレイン酸大豆油に含有されるδ-トコフェロール量は、高オレイン酸大豆油に含有される全トコフェロール量の２０〜４０質量％であることが好ましい。なお、全トコフェロール量は、α-トコフェロール、β-トコフェロール、γ-トコフェロール、δ-トコフェロールの合計量（質量）である。高オレイン酸大豆油のδ-トコフェロール含油量は、α-トコフェロール含油量の２倍以上（質量比）であることが好ましく、γ-トコフェロール含油量の１／３以上（質量比）であることが好ましい。例えば、高オレイン酸大豆油中の、α-トコフェロール含有量が３０〜１５０質量ｐｐｍ、β-トコフェロール含有量が０〜１００質量ｐｐｍ、γ-トコフェロール含有量が２００〜６００質量ｐｐｍ、δ-トコフェロール含油量が１００〜３５０質量ｐｐｍ、全トコフェロール含有量が５００〜９００質量ｐｐｍである、ことが好ましい。高オレイン酸大豆油中の、α-トコフェロール含有量が３０〜１００質量ｐｐｍ、β-トコフェロール含有量が０〜６０質量ｐｐｍ、γ-トコフェロール含有量が３５０〜５５０質量ｐｐｍ、δ-トコフェロール含油量が１５０〜２５０質量ｐｐｍ、全トコフェロール含有量が６００〜８００質量ｐｐｍである、ことがより好ましい。
【００２１】
本発明の油脂組成物は、油脂組成物中に２種以上の油脂を含有するので、前述の高オレイン酸大豆油以外に、１種以上の高オレイン酸大豆油以外の油脂を含有する。高オレイン酸大豆油以外の油脂として、パーム油、大豆油、菜種油、米油、ひまわり油、コーン油、紅花油、オリーブ油、綿実油、ゴマ油、グレープシード油、落花生油、ヤシ油、及びこれらの分別油などの植物油が挙げられる。パーム油、パーム油の分別油、菜種油、大豆油、米油、ひまわり油、コーン油、紅花油、オリーブ油から選ばれる１種以上を用いることが、好ましい。なお、菜種油、ひまわり油、紅花油は、高オレイン酸品種であることが、酸化安定性を高めるうえで、より好ましい。また、パーム油及びその分別油を用いることも、より好ましい。最も好ましくは、パームオレインを用いることである。なお、室温で固形化するものは、使用時に加熱により溶解させる必要があるので、２０℃で液状の態様のものが好ましい。
高オレイン酸大豆油以外の油脂は、高オレイン酸大豆油と同様に、精製油であることが好ましい。
【００２２】
本発明の油脂組成物は、油脂組成物中の高オレイン酸大豆油の含有量は１０〜９５質量％であることが好ましい。これらの範囲であれば、高オレイン酸大豆油を配合しない場合に比べて、高い酸化安定性を得ることができる。油脂組成物中の高オレイン酸大豆油の含有量は１０〜９０質量％であることがより好ましい。油脂組成物中の高オレイン酸大豆油の含有量は２０〜８０質量％であることがさらに好ましい。また、油脂組成物中の高オレイン酸大豆油以外の含有量は、５〜９０質量％であることが好ましく、１０〜９０質量％であることがより好ましく、２０〜８０質量％であることがさらに好ましい。
【００２３】
本発明の油脂組成物は、前述のとおり、油脂組成物中に２種以上の油脂を含有するが、油脂組成物のヨウ素価は、６５〜１１０であることが好ましい。この範囲になるように、高オレイン酸大豆油と高オレイン酸大豆油以外の油脂を配合することが好ましい。この範囲であれば、より高い酸化安定性が期待できる。油脂組成物のヨウ素価は、６５〜９５であることがより好ましく、７０〜９２であることがさらに好ましい。
【００２４】
本発明において、グリセリドを構成する脂肪酸中の各脂肪酸含有量（例えば、オレイン酸）は、日本油化学会制定「基準油脂分析試験法  ２．４．２．２−１９９６  脂肪酸組成（ＦＩＤ昇温ガスクロマトグラフ法） に準拠して測定することができる。ヨウ素価は、日本油化学会制定「基準油脂分析試験法  ２．３．４．１−１９９６  ヨウ素価（ウィイス−シクロヘキサン法）に準拠して測定することができる。また、油脂組成物に含まれるトコフェロール含有量は、日本油化学会制定「基準油脂分析試験法  ２．４．１０−２００３  トコフェロール（蛍光検出器−高速液体クロマトグラフ法）」に準拠して測定することができる。
【００２５】
（その他の成分）
本発明の油脂組成物中には、本発明の効果を損ねない程度に、その他の成分を加えることができる。その他の成分とは、例えば、一般的な油脂に用いられる成分（食品添加物など）である。これらの成分としては、例えば、酸化防止剤、乳化剤、シリコーンオイル、結晶調整剤、食感改良剤等が挙げられ、脱臭後から充填前に添加されることが好ましい。
【００２６】
酸化防止剤としては、例えば、トコフェロール類、アスコルビン酸類、フラボン誘導体、コウジ酸、没食子酸誘導体、カテキンおよびそのエステル、フキ酸、ゴシポール、セサモール、テルペン類等が挙げられる。
【００２７】
乳化剤としては、ショ糖脂肪酸エステル、ポリグリセリン脂肪酸エステル、有機酸モノグリセリド、モノグリセリド、ジグリセリド、ソルビトール脂肪酸エステル、ソルビタン脂肪酸エステル等が挙げられる。一部の乳化剤を含有させることでフライ適性、結晶抑制を向上させることができる。乳化剤の添加量は、乳化剤全体として２質量％未満が好ましく、さらに好ましくは０．０１〜１質量％である。
【００２８】
シリコーンオイルとしては、食品用途で市販されているものを用いることができ、特に限定されないが、例えば、ジメチルポリシロキサン構造を持ち、動粘度が２５℃で８００〜５０００ｍｍ2／ｓのものが挙げられる。シリコーンオイルの動粘度は、特に８００〜２０００ｍｍ2／ｓ、さらに９００〜１１００ｍｍ2／ｓであることが好ましい。ここで、「動粘度」とは、ＪＩＳ Ｋ ２２８３（２０００）に準拠して測定される値を指すものとする。シリコーンオイルは、シリコーンオイル以外に微粒子シリカを含んでいてもよい。
【００２９】
＜油脂組成物の用途＞
本発明の油脂組成物は、あらゆる用途の油脂の保存時の酸化安定性を高めることができる。そのため、フライ用途、炒め油用途、離形油用途、炊飯油用途、ドレッシング用途、マヨネーズ用途などに好適に利用することができる。また、本発明の油脂組成物を含有する総菜、ドレッシング、マヨネーズ、ベーカリー食品等も酸化安定性を高めることができる。
【実施例】
【００３０】
以下、本発明について、実施例に基づき具体的に説明するが、本発明はこれら実施例に限定されるものではない。
【００３１】
（サンプル）
搾油された大豆粗油、搾油された高オレイン酸大豆粗油を脱ガム（８５％リン酸溶液０．０５質量％添加、８０℃、１０分）、アルカリ脱酸（水酸化ナトリウム：過剰率１１０％）、脱色（白土１％、１１０℃、減圧、２０分）、脱臭（２５５℃、５３３Ｐａ、６０分）を行い、それぞれ大豆油（精製大豆油：ヨウ素価１３１．２、構成脂肪酸：オレイン酸含有量２３．７質量％、リノール酸含有量５２．９質量％、リノレン酸６．１質量％、トコフェロール：α−トコフェロール  １２７ｐｐｍ、β−トコフェロール  １５ｐｐｍ、γ−トコフェロール  ７００ｐｐｍ、δ−トコフェロール  １８７ｐｐｍ、全トコフェロール  １０２９ｐｐｍ）、ＨＯ大豆油（精製高オレイン酸大豆油：、ヨウ素価：８５．２、構成脂肪酸：オレイン酸含有量８０．８質量％、リノール酸含有量５．７質量％、リノレン酸１．６質量％、トコフェロール：α−トコフェロール  ７０ｐｐｍ、β−トコフェロール  ２１ｐｐｍ、γ−トコフェロール  ４３７ｐｐｍ、δ−トコフェロール  １９５ｐｐｍ、全トコフェロール  ７２３ｐｐｍ）を得た。
【００３２】
大豆油、ＨＯ大豆油、菜種油（精製キャノーラ油：日清オイリオグループ株式会社製、ヨウ素価１１３．５）、ＰＬ６７（精製パームオレイン：日清オイリオグループ株式会社製、ヨウ素価６７）、米油（精製米油：日清オイリオグループ株式会社製、ヨウ素価１０２．８）、ＨＯＬＬ（精製高オレイン酸低リノレン酸菜種油：日清オイリオグループ株式会社製、ヨウ素価９７．３）、ＨＯヒマワリ油（精製高オレイン酸ヒマワリ油：日清オイリオグループ株式会社製、ヨウ素価８４．２）、コーン油（精製コーン油：日清オイリオグループ株式会社製、ヨウ素価１２４．９）を表１又は表２の配合（質量比２：８、５：５、８：２）になるように配合し、例１〜２０の油脂組成物を得た。
【００３３】
（ＣＤＭ（Conductometric  Determination  Method）試験）
例１〜２０の油脂組成物２．５ｇをそれぞれＣＤＭ装置（自動油脂安定性試験装置Rancimat743型、メトロームジャパン株式会社製：１２０℃、空気吹込み２０．１（Ｌ／ｈ））で測定した。伝導率が急激に変化する変曲点までの時間（ｈ）をＣＤＭ値とし、表１、２に記載した。なお、ＣＤＭ値が大きいほど、酸化安定性が高い油脂である。
【００３４】
（脂肪酸組成）
油脂組成物の脂肪酸組成を日本油化学会制定「基準油脂分析試験法  ２．４．２．２−１９９６  脂肪酸組成（ＦＩＤ昇温ガスクロマトグラフ法）に準拠して測定した。パルミチン酸とステアリン酸の合計値（Ｃ１６＋Ｃ１８  質量％）、及び、オレイン酸とリノール酸、リノレン酸の合計値（Ｃ１８不飽和  質量％）を表１、２に記載した。
【００３５】
（ヨウ素価：ＩＶ）
油脂組成物のヨウ素価を、日本油化学会制定「基準油脂分析試験法  ２．３．４．１−１９９６  ヨウ素価（ウィイス−シクロヘキサン法）に準拠して測定した。ヨウ素価（ＩＶ）の値が大きいほど、二重結合が多い。結果を表１、２に記載した。
【００３６】
（トコフェロール含有量）
油脂組成物に含まれるトコフェロールの含有量を、日本油化学会制定「基準油脂分析試験法  ２．４．１０−２００３  トコフェロール（蛍光検出器−高速液体クロマトグラフ法）」に準拠して、α−トコフェロール（α−Ｔ．  質量ｐｐｍ）、β−トコフェロール（β−Ｔ．  質量ｐｐｍ）、γ−トコフェロール（γ−Ｔ．  質量ｐｐｍ）、δ−トコフェロール（δ−Ｔ．  質量ｐｐｍ）及びそれらの合計量（全Ｔ．  質量ｐｐｍ）を測定した。結果を表１、２に記載した。
【００３７】
【表１】
2019052281.tif 000003
【００３８】
【表２】
2019052281.tif 000004
【００３９】
表１、２から、例１〜１０に比べて、高オレイン酸大豆油を含む例１１〜２０はＣＤＭ値が良好であった。同油脂組成物は、保存安定性（酸化安定性）が良好であることがわかり、同油脂組成物を含油する食品の保存安定性（酸化安定性）も高いことが期待できる。
【図１】
2019052281.tif 000005
【図２】
2019052281.tif 000006